(57)【特許請求の範囲】
【請求項１】
モータケーシングの外側に電気部品が搭載されたモータであって、
前記電気部品を収納する防水ケースを備え、
該防水ケースは、第１ケース体と第２ケース体とを有し、
前記第１ケース体は、該第１ケース体の側面から外側に突出した第１合わせ面を有し、
前記第２ケース体は、該第２ケース体の側面から外側に突出し、前記第１合わせ面と対向する第２合わせ面を有し、
前記第１合わせ面は、前記第１ケース体の側面の第２ケース体側の端部よりも反第２ケース体側の位置から突出しており、
前記第１合わせ面と前記第２合わせ面との間に防水部材を有し、
前記第１合わせ面と前記第２合わせ面との間に該防水部材を介在させた状態で、前記第１ケース体と前記第２ケース体とが連結され、
前記第１ケース体の側面の前記第２ケース体側の端部は、該第１ケース体が前記第２ケース体と連結された状態で、前記防水部材の前記第２ケース体側の面よりも第２ケース体側に位置している
ことを特徴とする電気部品が搭載されたモータ。
【請求項２】
請求項１において、
前記第２合わせ面は、先端が前記第１ケース体側に屈曲されている屈曲部を有する
ことを特徴とする電気部品が搭載されたモータ。
【請求項３】
請求項２において、
前記屈曲部の先端は、前記第１合わせ面よりも反第２ケース体側にまで延在されている
ことを特徴とする電気部品が搭載されたモータ。
【請求項４】
請求項１〜３のいずれかにおいて、
前記第１ケース体の前記第１合わせ面を構成する部分の肉厚は、前記第２ケース体の前記第２合わせ面を構成する部分の肉厚よりも大きく、かつ、
該第１合わせ面を構成する部材には、前記第１ケース体と前記第２ケース体とをボルト連結するためのタップ穴が設けられている
ことを特徴とする電気部品が搭載されたモータ。
【請求項５】
請求項１〜４のいずれかにおいて、
前記第１ケース体と前記第２ケース体とを連結するボルトと、前記第１ケース体および前記第２ケース体の少なくとも一方との間には、座金およびシールワッシャが配置される  ことを特徴とする電気部品が搭載されたモータ。
【発明の詳細な説明】
【技術分野】
【０００１】
本発明は、電気部品が搭載されたモータに関する。
【背景技術】
【０００２】
例えば、特許文献１に、電気部品が搭載されたモータが開示されている。電気部品は、端子箱に収納されている。
【先行技術文献】
【特許文献】
【０００３】
【特許文献１】特開２０１０−２０６９４３号公報
【発明の概要】
【発明が解決しようとする課題】
【０００４】
このような電気部品が搭載されたモータは、電気部品に雨水や液体が接触すると、不具合が発生し易い。そのため、当該モータを、例えば屋外や、工場内の液体等が降り掛かる環境等で使用する場合には、防水対策が重要となる。
【０００５】
しかしながら、例えば、特許文献１に記載されているように、電気部品を単に端子箱に収納する程度では、防水化は必ずしも十分とは言えない、という問題があった。
【０００６】
本発明は、このような従来の問題を解消するためになされたものであって、より防水機能を高めることのできる電気部品が搭載されたモータを提供することをその課題としている。
【課題を解決するための手段】
【０００７】
本発明は、モータケーシングの外側に電気部品が搭載されたモータであって、前記電気
部品を収納する防水ケースを備え、該防水ケースは、第１ケース体と第２ケース体とを有
し、前記第１ケース体は、該第１ケース体の側面から外側に突出した第１合わせ面を有し
、前記第２ケース体は、該第２ケース体の側面から外側に突出し、前記第１合わせ面と対
向する第２合わせ面を有し、前記第１合わせ面は、前記第１ケース体の側面の第２ケース
体側の端部よりも反第２ケース体側の位置から突出しており、前記第１合わせ面と前記第
２合わせ面との間に防水部材を有し、前記第１合わせ面と前記第２合わせ面との間に該防
水部材を介在させた状態で、前記第１ケース体と前記第２ケース体とが連結され、前記第１ケース体の側面の前記第２ケース体側の端部は、該第１ケース体が前記第２ケース体と連結された状態で、前記防水部材の前記第２ケース体側の面よりも第２ケース体側に位置している構成とすることにより、上記課題を解決したものである。
【０００８】
本発明に係るモータの電気部品は、第１ケース体と第２ケース体とを連結した防水ケース内に収納される。第１ケース体と第２ケース体は、各ケース体の側面から外側に突出した第１合わせ面と第２合わせ面との間に、防水部材を介在させた状態で連結される。
【０００９】
第１合わせ面は、第１ケース体の側面の第２ケース体側の端部よりも反第２ケース体側の位置から突出している。これにより、たとえ第１合わせ面と第２合わせ面との間に雨水等が浸入してきたとしても、第１ケース体の側面により、この浸入してきた雨水等が防水ケース内に入るのを抑制することができる。
【発明の効果】
【００１０】
本発明によれば、より防水機能を高めることのできる電気部品が搭載されたモータを得ることができる。
【図面の簡単な説明】
【００１１】
【図１】本発明の実施形態の一例に係る電気部品が搭載されたモータの外観を示す３面図で、（Ａ）は正面図、（Ｂ）は側面図、（Ｃ）は底面図
【図２】上記３面図の防水ケースの全部または一部を破断して示した部分破断３面図
【図３】上記モータと防水ケース内のインバータ装置の結線状態を示す正面相当のブロック図
【図４】上記実施形態の要部拡大断面図
【図５】本発明の他の実施形態の一例を示す一部に拡大断面を有する概略断面図
【図６】本発明のさらに他の実施形態の一例を示す要部断面図
【発明を実施するための形態】
【００１２】
以下、図面に基づいて本発明の実施形態の一例に係る電気部品が搭載されたモータを詳細に説明する。
【００１３】
図１は、本発明の実施形態の一例に係る電気部品が搭載されたモータの外観を示す３面図である。（Ａ）が正面図、（Ｂ）が側面図、（Ｃ）が底面図に相当している。図２は、上記３面図の防水ケースの全部または一部を破断して示した部分破断３面図である。
【００１４】
この実施形態においては、モータＭ１は、縦置き（モータ軸１０が鉛直方向に延在する状態）で使用される。ただし、後述するように、本発明に係るモータの使用は、縦置きでの使用のみに限定されるものではない。モータの下部には図示せぬ減速機が配置され、減速機の下部に被駆動機器（図示略）が配置される。モータＭ１は、３相の誘導モータである。ただし、モータは、電気部品が搭載されるモータであるならば、必ずしも誘導モータに限定されない。モータは、例えば、制御装置等の電気部品が搭載された磁石モータ等であってもよい。
【００１５】
モータＭ１には、速度制御を行うためのインバータ装置１２が搭載されている。インバータ装置１２は、モータＭ１に供給する駆動周波数を変えてモータＭ１の回転速度を制御するもので、電気部品の一例である。
【００１６】
モータＭ１は防水ケース２０を有している。インバータ装置１２は、これ自体は、通常の非防水タイプのものである。インバータ装置１２は、防水ケース２０に収納されることで、雨水等から隔離される。防水ケース２０内には、端子台１３がボルト１５によって固定されている。インバータ装置１２は、端子台１３にボルト１６によって固定されている。
【００１７】
防水ケース２０は、インバータ装置１２を収納する第１ケース体２１と、該第１ケース体２１と連結される第２ケース体２２と、を備える。
【００１８】
第１ケース体２１と第２ケース体２２の連結構造については後に詳述する。
【００１９】
図３を合わせて参照して、インバータ装置１２は、設定スイッチＳ１１〜Ｓ１３を有している。設定スイッチＳ１１〜Ｓ１３は、具体的には、インバータ装置１２からモータＭ１への電力供給をオン−オフする電源スイッチＳ１１、該インバータ装置１２の駆動周波数を設定するためのアップスイッチＳ１２、およびダウンスイッチＳ１３である。インバータ装置１２は、設定状況等を確認するためのディスプレイ（モニタ手段）１４を有している。
【００２０】
防水ケース２０は、このディスプレイ１４を視認可能な窓３２を備える。窓３２は、防水ケース２０上において、インバータ装置１２のディスプレイ１４に対応した位置に設けられている。具体的には、窓３２は、該防水ケース２０の第２ケース体２２の（後述する）第２閉塞面２２Ｃに露出して設けられている。窓３２は、窓穴３２Ｋに透明なアクリル板（またはガラス）３２Ａを嵌め込んだ窓枠３２Ｂを有している。窓枠３２Ｂは、窓孔シール部材３２Ｃを介してボルト３４にて防水ケース２０の第２ケース体２２に固定されている。窓３２を介して、防水ケース２０の外部から、防水ケース２０内に収納されているインバータ装置１２のディスプレイ１４が視認可能である。
【００２１】
防水ケース２０は、インバータ装置１２に設けられた前記設定スイッチＳ１１〜Ｓ１３の一つである電源スイッチＳ１１と同じ機能を有する外部電源スイッチ（外部設定スイッチ）Ｓ２１を備える。
【００２２】
外部電源スイッチＳ２１は、防水ケース２０の外部に露出して設けられている。外部電源スイッチＳ２１は、防水仕様とされている。外部電源スイッチＳ２１は、オン−オフ兼用である。外部電源スイッチＳ２１は、インバータ装置１２の電源スイッチＳ１１と同じ機能を有するように、当該電源スイッチＳ１１と結線されている（図３参照）。つまり、防水ケース２０の外部電源スイッチＳ２１からの信号が、（電源スイッチＳ１１の信号として）インバータ装置１２に入力されるように接続されている。これにより、当該外部電源スイッチＳ２１を操作することで、インバータ装置１２の電源スイッチＳ１１を操作可能である。
【００２３】
なお、インバータ装置１２には、電源スイッチＳ１１のほかに、アップスイッチＳ１２とダウンスイッチＳ１３が設けられている。アップスイッチＳ１２は、モータＭ１の駆動周波数を高めるためのスイッチである。ダウンスイッチＳ１３は、モータＭ１の駆動周波数を低めるためのスイッチである。しかし、本実施形態では、これら設定スイッチＳ１２、Ｓ１３に対応する外部設定スイッチは、防水ケース２０には配置されていない。
【００２４】
一方、防水ケース２０には、ＬＥＤランプ３６が、外部に露出して設けられている。ＬＥＤランプ３６は、インバータ装置１２からの出力信号に基づいて報知を行う。この実施形態では、ＬＥＤランプ３６は、インバータ装置１２（モータＭ１）の「オン」と共に点灯する。また、インバータ装置１２のモータＭ１への電流または電圧が予め設定された値を超えた場合に、点滅する。すなわち、ＬＥＤランプ３６は、この実施形態では、電源ランプの機能と異常ランプの機能が兼ねられている。もちろん、電源ランプの機能を有するＬＥＤランプと異常ランプの機能を有するＬＥＤランプを別々に備えるように構成してもよい。
【００２５】
例えば、インバータ装置１２の電源用のランプが、窓から視認可能な位置に配置されているようなときは、電源ランプ相当の報知手段は不要である。しかし、この実施形態では、インバータ装置１２の電源ランプ１２Ｌがディスプレイ１４から離れた位置にあって、窓３２から視認可能な位置に配置されていない。そのため、ＬＥＤランプ３６にインバータ装置１２の電源ランプ相当の報知機能を持たせている。
【００２６】
なお、防水ケース２０の第１ケース体２１の下部には、配線孔２０Ｇが形成されている。配線孔２０Ｇには、モータＭ１に対する配線３８が挿通される。モータＭ１に対する配線３８とは、この実施形態では電源用配線および制御用配線のことである。配線孔２０Ｇは、配線３８が防水ケース２０から鉛直下向きに貫通・延在するように形成されている。
【００２７】
ここで、本実施形態における防水ケース２０の防水構造について詳細に説明する。
【００２８】
前述したように、防水ケース２０は、インバータ装置１２を収納する第１ケース体２１と、該第１ケース体２１と連結される第２ケース体２２と、を備える。
【００２９】
第１ケース体２１は、モータＭ１のモータケース（モータケーシング）２４と連結される。第１ケース体２１は、モータケース２４と連結される第１底面２１Ｃと、該第１底面２１Ｃから垂直に反モータケース２４側に立ち上げられた第１側面２１Ｓと、を備える。
【００３０】
第１底面２１Ｃは、モータＭ１のモータ軸１０と平行に延在された長方形状とされている。第１側面２１Ｓは、第１底面２１Ｃの長方形の４つの辺から垂直に立ち上げられた４つの側面で構成され、該第１側面２１Ｓと直角の断面がほぼ長方形である。第１ケース体２１は、第１側面２１Ｓの反モータケース２４側に、第１開口２１Ａを有する。
【００３１】
第２ケース体２２は、全体が第１ケース体２１の第１開口２１Ａを閉塞する蓋形状とされている。第２ケース体２２は、第１ケース体２１の第１底面２１Ｃと平行な長方形状の第２閉塞面２２Ｃと、該第２閉塞面２２Ｃから垂直にモータケース２４側に立ち上げられた第２側面２２Ｓと、を備える。
【００３２】
第２ケース体２２の第２側面２２Ｓは、第２閉塞面２２Ｃの長方形の４つの辺から垂直に立ち上げられた４つの側面で構成され、該第２側面２２Ｓと直角の断面が、第１ケース体２１の第１側面２１Ｓとほぼ同形の（やや大きい形状の）長方形である。第２ケース体２２は、第２側面２２Ｓのモータケース２４側に第２開口２２Ａを有する。
【００３３】
図４は、防水ケース２０の第１ケース体２１および第２ケース体２２の連結部Ｊ２０の近傍の要部拡大断面図である。第１ケース体２１は、第１合わせ面２１Ｆを構成する第１合わせ面部材２１Ｇを有している。第１合わせ面２１Ｆは、第１合わせ面部材２１Ｇの第２ケース体２２側の面に相当する。以下、第１合わせ面部材２１Ｇを第１合わせ面２１Ｆに着目した表現で説明することがある。
【００３４】
第１合わせ面２１Ｆ（第１合わせ面部材２１Ｇ）は、第１ケース体２１の第１側面２１Ｓから外側に突出している。この実施形態では、第１合わせ面２１Ｆを構成する第１合わせ面部材２１Ｇは、第１側面２１Ｓに外嵌される長方形リング状の部材であり、溶接によって第１ケース体２１と一体化されている。
【００３５】
第１合わせ面２１Ｆは、第１ケース体２１の第１側面２１Ｓの第２ケース体２２側の端部２１Ｅよりも、Ｌ（２１Ｅ−２１Ｆ）だけ反第２ケース体２２側の位置から突出している。第１合わせ面２１Ｆは、第１ケース体２１の第１側面２１Ｓと直角である。
【００３６】
第２ケース体２２は、第２合わせ面２２Ｆを構成する第２合わせ面部材２２Ｇを有している。第２合わせ面２２Ｆは、第２合わせ面部材２２Ｇの第１ケース体２１側の面に相当する。以下、第２合わせ面部材２２Ｇを第２合わせ面２２Ｆに着目した表現で説明することがある。
【００３７】
第２合わせ面２２Ｆ（第２合わせ面部材２２Ｇ）は、第１合わせ面２１Ｆと対向して、第２ケース体２２の第２側面２２Ｓから外側に突出している。この実施形態では、第２合わせ面部材２２Ｇは、第２ケース体２２の第２側面２２Ｓの先端部を外側に折り曲げて形成され、（溶接等による連結によってではなく、始めから一部材として）第２ケース体２２と一体化されている。第２合わせ面２２Ｆは、第２ケース体２２の第２側面２２Ｓと直角である。
【００３８】
防水ケース２０は、第１合わせ面２１Ｆと第２合わせ面２２Ｆとの間に、防水部材（シール部材）２５を有している。防水部材２５は、第１ケース体２１の第１側面２１Ｓの外周に沿った内周を有する長方形のリング状の部材で構成されている。つまり、防水部材２５は、第１ケース体２１の第１側面２１Ｓに隙間なく当接している。別言するならば、防水部材２５は、第１ケース体２１の第１側面２１Ｓによって径方向（第１側面２１Ｓと直角の方向）の位置決めがなされている。防水部材２５の肉厚はＴ２５である。第１ケース体２１と第２ケース体２２は、第１合わせ面２１Ｆと第２合わせ面２２Ｆとの間に防水部材２５を介在させた状態で連結されている。
【００３９】
第１ケース体２１と第２ケース体２２は、連結ボルト２６によって連結されている。より詳細に説明すると、第１合わせ面部材２１Ｇの肉厚（第１合わせ面２１Ｆを構成する部分の肉厚）は、Ｔ２１Ｇである。第２合わせ面部材２２Ｇの肉厚（第２合わせ面２２Ｆを構成する部分の肉厚）は、Ｔ２２Ｇである。第１合わせ面部材２１Ｇの肉厚Ｔ２１Ｇは、第２合わせ面部材２２Ｇの肉厚Ｔ２２Ｇよりも大きい（Ｔ２１Ｇ＞Ｔ２２Ｇ）。そして、この肉厚を大きくした第１合わせ面部材２１Ｇ（第１合わせ面２１Ｆを構成する部分）に、タップ穴２１Ｔが設けられている。第１ケース体２１と第２ケース体２２は、このタップ穴２１Ｔに連結ボルト２６をねじ込むことによって連結されている。
【００４０】
連結ボルト２６は、十字溝２６Ａ付きの六角ボルトで構成されている。連結ボルト２６は、連結部Ｊ２０に、水平に組み込まれている。連結ボルト２６は、頭部２６Ｂの外周に図示せぬ六角レンチを係合させることにより締め付けることができる。また、連結ボルト２６は、頭部２６Ｂに形成された十字溝２６Ａの部分に、図示せぬプラスのスクリュードライバを係合させることにより締め付けることもできる。
【００４１】
連結ボルト２６の頭部２６Ｂと第２ケース体２２との間には、座金２８およびシールワッシャ２９が配置されている。具体的には、連結ボルト２６とシールワッシャ２９との間に座金２８が配置されている。座金２８と第２ケース体２２との間にシールワッシャ２９が配置されている。
【００４２】
なお、図示せぬナットを用いて第１ケース体２１と第２ケース体２２とを連結する場合は、第１ケース体２１とナットとの間にも、座金およびシールワッシャを配置するようにしてもよい。要するならば、連結ボルトと、第１ケース体および第２ケース体の少なくとも一方との間に、座金およびシールワッシャを配置するのが好ましい。
【００４３】
防水部材２５の第２ケース体２２側の面２５Ｕは、第２合わせ面２２Ｆと当接している。第２合わせ面２２Ｆは、第１ケース体２１の第１側面２１Ｓの第２ケース体２２側の端部２１ＥよりもＬ（２１Ｅ−２５Ｕ）だけ第１ケース体２１側に位置している。つまり、第１ケース体２１の第１側面２１Ｓの第２ケース体２２側の端部２１Ｅは、第１ケース体２１が第２ケース体２２と連結された状態で、防水部材２５の第２ケース体２２側の面２５ＵよりもＬ（２１Ｅ−２５Ｕ）だけ、第２ケース体２２側に位置している。
【００４４】
第２ケース体２２の第２合わせ面２２Ｆ（具体的には、第２側面２２Ｓから連続している第２合わせ面部材２２Ｇ）は、先端が第１ケース体２１側に屈曲している屈曲部２２Ｍを有している。屈曲部２２Ｍは、第２合わせ面部材２２Ｇから一体的に連続形成されている。屈曲部２２Ｍの長さは、Ｌ２２Ｍである。
【００４５】
屈曲部２２Ｍの先端２２Ｅは、第１合わせ面２１ＦよりもＬ（２２Ｅ−２１Ｆ）だけ反第２ケース体２２側にまで延在されている。つまり、屈曲部２２Ｍの先端２２Ｅから第１合わせ面２１Ｆまでには、寸法Ｌ（２２Ｅ−２１Ｆ）が確保されている。防水部材２５の肉厚は、Ｔ２５であるため、屈曲部２２Ｍの先端２２Ｅから防水部材２５の第２ケース体２２側の面２５Ｕまでには、寸法Ｌ２２Ｍ＝Ｔ２５＋Ｌ（２２Ｅ−２１Ｆ）が確保されていることになる。
【００４６】
次に、この電気部品たるインバータ装置１２を搭載したモータＭ１の作用を説明する。
【００４７】
本実施形態に係るモータＭ１の電気部品たるインバータ装置１２は、第１ケース体２１と第２ケース体２２とを連結した防水ケース２０内に収納される。
【００４８】
第１ケース体２１と第２ケース体２２は、各ケース体２１、２２の側面２１Ｓ、２２Ｓから外側に突出した第１合わせ面２１Ｆと第２合わせ面２２Ｆとの間に、防水部材２５を介在させた状態で連結される。第１合わせ面２１Ｆは、第１ケース体２１の第２ケース体２２側の端部２１Ｅよりも反第２ケース体２２側の位置から突出している。このため、たとえ第１合わせ面２１Ｆと第２合わせ面２２Ｆとの間に雨水等が浸入してきたとしても、第１ケース体２１の第１側面２１Ｓにより、この浸入してきた雨水等が、そのまま防水ケース２０内に直接的に入ってしまうのが防止される。
【００４９】
また、第１合わせ面２１Ｆと第２合わせ面２２Ｆとの間には、防水部材２５が配置されているため、そもそも雨水等が第１合わせ面２１Ｆあるいは第２合わせ面２２Ｆに沿って防水ケース２０内に浸入し難い。加えて第１合わせ面２１Ｆを伝って浸入してきた雨水等は、防水部材２５と第１ケース体２１の第１側面２１Ｓとの間を通過しないと防水ケース２０内に入れない。このことから、雨水等の浸入を一層効果的に防止することができる。
【００５０】
本構成例では、上記基本的な作用に加え、さらに以下のような作用が得られる。
【００５１】
先ず、本構成例では、第１ケース体２１の第１側面２１Ｓの第２ケース体２２側の端部２１Ｅは、第１ケース体２１が第２ケース体２２と連結された状態で、防水部材２５の第２ケース体２２側の面２５Ｕよりも第２ケース体２２側に位置している。つまり、防水部材２５の第２ケース体２２側の面２５Ｕと第１ケース体２１の第１側面２１Ｓの第２ケース体２２側の端部２１Ｅとの間には寸法Ｌ（２１Ｅ−２５Ｕ）が確保されている。このため、たとえ防水ケース２０の第２ケース体２２側の面２５Ｕを伝って雨水等が浸入してきたとしても、当該雨水等がそのまま防水ケース２０内に落下せず、一度第１ケース体２１の第１側面２１Ｓによって受け止められる。このため、防水ケース２０の第２ケース体２２側の面２５Ｕを伝って流れ込むのをより抑制できる。
【００５２】
また、本構成例では、第２合わせ面２２Ｆは、先端に第１ケース体２１側に屈曲されている屈曲部２２Ｍを有する。このため、該屈曲部２２Ｍがいわゆる「傘」の機能を果たし、雨水等が、第１合わせ面２１Ｆや防水部材２５に直接降り注ぐのが防止される。
【００５３】
さらに、第２合わせ面２２Ｆの屈曲部２２Ｍの先端２２Ｅは、第１合わせ面２１Ｆよりも反第２ケース体２２側にまで延在されている。つまり、屈曲部２２Ｍの先端２２Ｅから第１合わせ面２１Ｆまでには、寸法Ｌ（２２Ｅ−２１Ｆ）が確保されている。そのため、この屈曲部２２Ｍの「傘」としての効果は、非常に大きい。
【００５４】
また、本構成例では、第１ケース体２１の第１合わせ面２１Ｆを構成する部分の肉厚Ｔ２１Ｇは、第２ケース体２２の第２合わせ面２２Ｆを構成する部分の肉厚Ｔ２２Ｇよりも大きい。そして、肉厚が大きく形成された第１合わせ面部材２１Ｇには、第１ケース体２１と第２ケース体２２とをボルト連結するためのタップ穴２１Ｔが設けられている。つまり、本構成例では、第１ケース体２１と第２ケース体２２とのボルト連結に当たって、ナット連結ではなく、タップ穴連結を採用している。この構成により、主に、以下のような多くの作用効果が得られる。
【００５５】
（１）ナット連結は、大きな接触面積を有するナットによって挟持力を発生させるため、両合わせ面間に強い挟持力を確保し難い。タップ穴連結は、ねじによる締め込み力を直接活用するため、より強力な挟持力が得られる。
【００５６】
（２）ナット連結は、第１合わせ面２１Ｆの側の孔が（雌ねじではなく）ストレート孔となる。このため、連結ボルト２６と第１合わせ面部材２１Ｇとの間に、連結ボルト２６のねじ２６Ｓの外径と谷径との間の隙間が形成され、これが雨水等の通路となる。タップ穴連結は、連結ボルト２６と第１合わせ面部材２１Ｇとの間が、雄ねじと雌ねじとの係合となるため、上記雨水等の通路となる隙間が殆ど生じない。
【００５７】
（３）タップ穴連結は、ナットを必要としないため。部品点数が少ない。
【００５８】
（４）タップ穴連結は、ナットを支えながら連結ボルト２６を締め込む必要がなく、締め込みの操作性に優れる。
【００５９】
（５）（ナット連結と比較して、一般に）、タップ穴連結の方が経時的な緩みが発生し難い傾向がある。
【００６０】
本構成例の作用の説明に戻って、本構成例では、第１ケース体２１と第２ケース体２２とを連結する連結ボルト２６と、第２ケース体２２との間に、座金２８およびシールワッシャ２９が配置される。このため、連結ボルト２６と第２合わせ面部材２２Ｇとの間の隙間から雨水等が浸入するのをより抑制することもできる。
【００６１】
なお、本構成例では、モータＭ１は、縦置きで使用されており、防水ケース２０の連結ボルト２６は、水平に配置されている。したがって、雨水等の浸入の大きな原因の一つである「連結ボルト２６の外周を伝った浸入」が、そもそも発生しにくい。
【００６２】
また、モータＭ１が縦置きで設置され、かつ負荷（被駆動機器）Ｄ１が、モータＭ１の鉛直方向下側に位置するように配置されている。そのため、モータＭ１のモータ軸１０がモータＭ１のモータケース２４から露出している部分からモータＭ１内に雨水等が浸入するのを、より効果的に防止できる。
【００６３】
また、本構成例では、モータＭ１の配線３８を挿通するための配線孔２０Ｇが、当該配線３８が防水ケース２０から鉛直下向きに貫通・延在するように形成されている。そのため、当該配線孔２０Ｇを介して防水ケース２０内に雨水等が浸入する恐れがほとんどなく、また、仮に防水ケース２０内に何らかの理由で雨水等が入り込んだ場合であっても、該配線孔２０Ｇを介して入り込んだ雨水等を速やかに排出させることもできる。
【００６４】
また、本構成例では、第２ケース体２２の第２側面２２Ｓと第２合わせ面２２Ｆを構成する第２合わせ面部材２２Ｇが、（一部材で）連続的に形成されている。このため、連結ボルト２６と座金２８との間から浸入してきた雨水等は、そのまま第２側面２２Ｓの外表面へと導かれ、防水ケース２０内に入り込むのが防止される。同様に、座金２８とシールワッシャ２９との間、更には、シールワッシャ２９と第２合わせ面部材２２Ｇとの間から浸入してきた雨水等も、そのまま第２側面２２Ｓの外表面へと導かれ、雨水等が防水ケース２０内に入り込むのが防止される。
【００６５】
また、本構成例では、第１合わせ面部材２１Ｇは、第１ケース体２１と溶接によって一体化されている。このため、第１合わせ面部材２１Ｇの反第２ケース体２２側から雨水等が浸入することも確実に防止されている。
【００６６】
ところで、本構成例では、インバータ装置（電気部品）１２全体を、そっくり防水ケース２０に収納している。そのため、種々の設定や操作をする場合に、その都度防水ケース２０の第１ケース体２１と第２ケース体２２とを分解する（開ける）必要があり、操作性が損なわれる。特に本実施形態においては、第２ケース体２２が屈曲部２２Ｍを有し、かつ第１合わせ面２１Ｆと第２合わせ面２２Ｆとの間に防水部材２５を介在させた状態で第１ケース体２１と第２ケース体２２を連結している。そのため、設定等の操作性は、（単純な連結と比較して）より損なわれる可能性がある。
【００６７】
しかし、本構成例によれば、インバータ装置１２を収納した防水ケース２０は、インバータ装置１２に設けられた設定スイッチＳ１１〜Ｓ１３の一つである電源スイッチＳ１１と同じ機能を有する外部電源スイッチＳ２１を有している。外部電源スイッチＳ２１からの信号は、インバータ装置１２に（その電源スイッチＳ１１の信号として）入力されるように接続されている。したがって、防水ケース２０を分解しなくてもインバータ装置１２の設定（電源のオン−オフ）を行うことができ、一層操作性がよい。
【００６８】
また、本構成例によれば、インバータ装置１２からの出力信号に基づいて報知を行うＬＥＤランプ（報知手段）３６が、防水ケース２０の外部に露出して設けられている。このＬＥＤランプ３６は、電源スイッチＳ１１（外部電源スイッチＳ２１）がオンとされたときに点灯する。このため、防水ケース２０が装着されたままでも、「電源オン」の状態であることを確認できる。特に、この構成例に係るインバータ装置１２は、たまたま、その電源ランプ１２Ｌが防水ケース２０の窓３２からは、視認できない位置に隠れてしまっている。そのため、ＬＥＤランプ３６の点灯により、防水ケース２０の外部からインバータ装置１２の電源のオン−オフ状態を確実に視認できるメリットは大きい。
【００６９】
さらには、本構成例では、該ＬＥＤランプ３６の点滅によって、インバータ装置１２の異常発生を、防水ケース２０を分解しなくても視認可能である。この意味で、本構成例に係る防水ケース２０は、単に防水機能、およびインバータ装置１２の設定の補助機能を有するだけでなく、「インバータ装置１２を搭載したモータＭ１」の運転状況を報知可能な簡易制御盤としての機能を兼ねていることになる。
【００７０】
また、本構成例では、防水ケース２０の窓３２が、該防水ケース２０の第２ケース体２２の鉛直な平面である第２側面２２Ｓの上側に形成されている。したがって、インバータ装置１２のディスプレイ１４を第２側面２２Ｓの上側に縦に設けられた窓３２から視認することになるため、該ディスプレイ１４の情報が見易い。
【００７１】
なお、本構成例に係る電気部品が搭載されたモータの各部材の配置は、上記配置例に限定されない。
【００７２】
例えば、図５で示されるモータＭ２は、横置きで設置されている。モータＭ２が横置きで設置される場合は、防水ケース４０を、モータＭ２の上側に配置するとよい。これにより、モータＭ２に対する配線４１を挿通するための配線孔４０Ｇや、インバータ装置４５とモータＭ２との間のケーブル等（図示略）を通す連通孔４０Ｃを、防水ケース４０の下面４０Ａに形成することができる。また、配線４１やケーブル等が防水ケース４０から鉛直下向きに貫通・延在するように構成することができる。したがって、配線孔４０Ｇや連通孔４０Ｃを介して雨水等が防水ケース４０内に浸入するのをより防止することができる。
【００７３】
そして、このように、モータＭ２を横置きで設置する場合においても、防水ケース４０については、先の実施形態と全く同様の構成を採用することができる。図５の円内に拡大図示された連結部Ｊ４０の構成は、図４を用いて詳細に説明した連結部Ｊ２０の構成と、向きが９０度回転しているほかは、全く同一である。そのため、既に説明した連結部Ｊ２０の構成と対応する部位に、あえてＪ２０の説明で用いられていた符号と同一の符号を付すこととし、重複説明を省略する。
【００７４】
モータＭ２を横置きで設置する場合、上記構成例における「第１合わせ面２１Ｆは、第１ケース体２１の第２ケース体２２側の端部２１Ｅよりも反第２ケース体２２側の位置から突出する」という構成は、「第１合わせ面２１Ｆは、第１ケース体２１の上端部より、鉛直方向下側の位置から突出している」と読み替えることができる。つまり、モータＭ２を横置きで設置する場合、第１ケース体２１は、第１合わせ面２１Ｆを伝って浸入してきた雨水等に対して、鉛直に立つ高さＬ（２１Ｅ−２１Ｆ）の壁として立ちはだかることになる。このため、雨水等の浸入に関して、非常に有効な構成となり得る。
【００７５】
また、モータＭ２を横置きで設置する場合（第１ケース体２１と第２ケース体２２とが水平面上で連結される場合）、上記構成例における「第１ケース体２１の第１側面２１Ｓの第２ケース体２２側の端部２１Ｅは、第１ケース体２１が第２ケース体２２と連結された状態で、防水部材２５の第２ケース体２２側の面よりも第２ケース体２２側に位置している」という構成は、「第１ケース体２１の第１側面２１Ｓの上端は、第１ケース体２１が第２ケース体２２と連結された状態で、防水部材２５の上面よりも上側に位置している」と読み替えることができる。そのため、モータＭ２を横置きで設置する場合、第１ケース体２１は、防水部材２５の上面を伝って浸入してきた雨水等に対して、鉛直に立つ壁として立ちはだかることになる。このため、雨水等の浸入に関して、非常に有効な構成となり得る。
【００７６】
さらに、モータＭ２を横置きで設置する場合、上記構成例における「第２合わせ面２２Ｆの屈曲部２２Ｍの先端２２Ｅは、第１合わせ面２１Ｆよりも反第２ケース体２２側にまで延在されている」という構成は、「第２合わせ面２２Ｆの屈曲部２２Ｍの下端は、第１合わせ面２１Ｆよりも下側にまで延在されている」と読み替えることができる。つまり、屈曲部２２Ｍは、鉛直方向において、防水部材２５や第１合わせ面２１Ｆを完全に覆うことになる。このため、この構成も、雨水等の浸入に関して、非常に有効な構成となり得る。
【００７７】
なお、このようにモータＭ２を横置きにする場合も、インバータ装置４５のディスプレイ４７は縦に配置し、防水ケース４０の窓４９が、該防水ケース４０の鉛直方向の面の上側（つまり第２側面２２Ｓ上）に位置するように構成するとよい。これにより、ディスプレイ４７の良好な視認性を維持することができる。
【００７８】
尤も、図１、図２の配置や、図５の配置は、一例であり、モータや防水ケース等の各部材の配置関係は、上記例に限定されない。例えば、モータに対する配線を挿通するための配線孔は、必ずしも、当該配線が防水ケースから鉛直下向きに貫通・延在するように形成されている必要はなく、例えば、当該配線が防水ケースから水平に貫通・延在するように形成されていてもよい。また、防水ケースの窓も、必ずしも該防水ケースの鉛直方向の面の上側に形成される必要はなく、例えば、防水ケースの上面（水平面）に形成されていてもよい。さらに、ＬＥＤランプ（報知手段）の配置位置も、上記配置位置に限定されるものではなく、そもそも、設置自体が省略されてもよい。
【００７９】
また、上記構成例においては、モータに搭載される電気部品として、インバータ装置が例示されていたが、本発明においてモータに搭載される電気部品は、インバータ装置に限定されない。例えば、モータが磁石モータであった場合には、電気部品としてサーボアンプが搭載されることもある。その他、シーケンサを実現するための回路基板や、リレー、ブレーカー等の電気部品が搭載されることもある。これらの電気部品も、雨水等を嫌う点でインバータ装置と共通しており、これまでの構成例と同様に適用することができ、同様の作用効果を得ることができる。
【００８０】
また、上記構成例においては、インバータ装置（電気部品）の設定スイッチのうち、電源スイッチと同じ機能を有する外部電源スイッチだけが、防水ケースの外部に露出して設けられていた。この構成は、低コストであり、一度設定してしまえば、後で、設定の変更をする必要が殆どない用途の場合に有効である。しかし、この構成では、例えば、インバータ装置にもともと設けられているモータの回転速度のアップスイッチやダウンスイッチ等を操作するには、防水ケースの蓋体を外す必要がある。
【００８１】
この不具合を解消したのが、例えば、図６に示す構成例である。
【００８２】
始めに、この図６の構成例の防水ケース５０の連結部Ｊ５０においても、上記図５の連結部Ｊ４０と同様な連結構成を採用している。これにより、防水ケース５０の高い防水機能を確保することができる。
【００８３】
図６の構成例では、さらに、インバータ装置（電気部品）５２の設定スイッチＳ５１〜Ｓ５４の全てに対応して、防水仕様の外部設定スイッチＳ６１〜Ｓ６４が、防水ケース５０の外部に露出して設けられている。具体的には、インバータ装置５２には、設定スイッチとして電源スイッチＳ５１、駆動周波数のアップスイッチＳ５２、ダウンスイッチＳ５３、およびリセットスイッチＳ５４が設けられる。そして、これらの設定スイッチＳ５１〜Ｓ５４と同じ機能を有する外部設定スイッチとして外部電源スイッチＳ６１、駆動周波数の外部アップスイッチＳ６２、外部ダウンスイッチＳ６３、および外部リセットスイッチＳ６４が、防水ケース５０の外部に露出して設けられている。外部設定スイッチＳ６１〜Ｓ６４からの信号は、インバータ装置５２の各設定スイッチＳ５１〜Ｓ５４相当の信号としてインバータ装置５２に入力されるように接続されている。
【００８４】
なお、リセットスイッチＳ５４（外部リセットスイッチＳ６４）は、エラーが発生したときに、それまでの設定状況を初期化するためのスイッチである。
【００８５】
また、このインバータ装置５２でも、電源オンの状態を報知する報知手段として、ランプ７０を有している。但し、この構成例では、このランプ７０は、インバータ装置５２のディスプレイ７２上に配置されている。そのため、該ランプ７０の点灯状態を、当該ディスプレイ７２を視認できる防水ケース５０の窓４２から直接確認することができる。したがって、防水ケース５０には、電源ランプ相当の報知手段は、（先の実施形態のように）重複しては設けられていない。
【００８６】
一方、本構成例に係るインバータ装置５２では、モータＭ３内に配置した温度センサ８０の情報を受け取っており、該温度センサ８０からの情報により、モータＭ３の特定の部分の温度が設定値以上となったと判断したときに、防水ケース５０に露出して設けられたＬＥＤランプ（報知手段）８４の点灯によって、この高温状態を知ることができるように構成してある。本構成例では、このように、ａ）外部に露出して設けた外部設定スイッチＳ６１〜Ｓ６４によってインバータ装置５２の全ての設定・操作を行い、また、ｂ）防水ケース５０の外部から視認できるランプ７０およびＬＥＤランプ８４によって運転状況を視認し、さらに、ｃ）必要に応じて外部リセットスイッチＳ６４によって各種設定のリセットを行うことを、（防水ケース５０を分解することなく）可能としている。
【００８７】
要するならば、本構成例においては、防水ケース５０に、「電気部品が搭載されたモータ」に関する全ての設定・操作、および報知を、（防水機能の高い防水ケース５０を採用していながら）可能とする制御盤としての機能を持たせるようにしている。
【００８８】
以上、防水ケースの付帯構成について説明した。しかし、防水ケースに、どのようなスイッチや報知手段等を配置するかについては、特に限定されない。
【００８９】
本発明に係る電気部品が搭載されたモータは、防水が必要な用途に使用されることを想定して創作されたものではあるが、防水が必要のない用途にも使用できる。
【符号の説明】
【００９０】
Ｍ１…モータ
１２…インバータ装置（電気部品）
２０…防水ケース
２１…第１ケース体
２２…第２ケース体
２１Ｓ…第１側面
２２Ｓ…第２側面
２１Ｅ…端部
２２Ｅ…先端
２１Ｆ…第１合わせ面
２２Ｆ…第２合わせ面
２４…モータケーシング
２５…防水部材
２６…連結ボルト
【図１】
0006388543.tif 000002
【図２】
0006388543.tif 000003
【図３】
0006388543.tif 000004
【図４】
0006388543.tif 000005
【図５】
0006388543.tif 000006
【図６】
0006388543.tif 000007